【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
対象生体の初期生体情報を取得する初期生体情報取得手段と、
前記初期生体情報取得手段によって入力された、パラメータとしての前記初期生体情報から算出した所定の幅を有し、前記初期生体情報を目標値に近づける初期ペースラインを生成する初期ペースライン生成手段と、
前記ペースライン生成後の前記対象生体の経過生体情報を取得する経過生体情報取得手段と、
前記経過生体情報取得手段によって取得された、パラメータとしての前記経過生体情報から算出した所定の幅を有し、前記経過生体情報を前記目標値に近づける修正ペースラインを生成する修正ペースライン生成手段と、
前記初期ペースライン又は前記修正ペースラインを、前記所定の幅をもって出力する出力手段と、を備え、
前記修正ペースライン生成手段は、前記経過生体情報取得手段により取得された前記経過生体情報が、前記初期ペースラインの前記所定の幅内に収まっているか否かを判定し、前記所定の幅内に収まっていない場合には、前記対象生体の経過生体情報が前記所定の幅内に収まる前記修正ペースラインを生成し、
前記出力手段は、前記初期ペースラインに代えて、前記修正ペースラインを出力すること
を特徴とする生体情報管理システム。
【請求項２】
前記初期生体情報は、前記対象生体に関して入力することによって取得される入力情報と、前記対象生体について測定することによって取得される測定情報と、を含むことを特徴とする請求項１に記載の生体情報管理システム。
【請求項３】
前記経過生体情報は、前記対象生体に関して入力することによって取得される入力情報、及び、前記対象生体について測定することによって取得される測定情報、のうち少なくとも前記測定情報を含むことを特徴とする請求項１又は請求項２に記載の生体情報管理システム。
【請求項４】
前記入力情報は、前記ペースラインのタイプを選定するためのペースライン選定情報を含むことを特徴とする請求項３に記載の生体情報管理システム。
【請求項５】
前記入力情報は、前記ペースラインの管理期間情報及び目標値情報を含むことを特徴とする請求項３又は請求項４に記載の生体情報管理システム。
【請求項６】
前記入力情報は、前記対象生体の身長、年齢、性別、身体部位の周囲径、血圧の少なくとも一つを含むことを特徴とする請求項３乃至請求項５のうち、いずれか１に記載の生体情報管理システム。
【請求項７】
前記生体情報管理システムは、前記対象生体の体重を測定するための体重測定部を備え、前記測定情報は、前記体重測定部が測定した体重を含むことを特徴とする請求項３乃至請求項６のうち、いずれか１に記載の生体情報管理システム。
【請求項８】
前記生体情報管理システムは、前記対象生体の生体インピーダンスを測定するための電極部材を備え、前記測定情報は、体脂肪率、体水分率、筋肉量、基礎代謝量、骨量、除脂肪量、体水分量、及び内臓脂肪レベルのうちの少なくとも一つを含むことを特徴とする請求項３乃至請求項７のうち、いずれか１に記載の生体情報管理システム。
【請求項９】
単一の筐体内に収容された生体情報管理装置を構成することを特徴とする請求項１乃至請求項８のうち、いずれか１に記載の生体情報管理システム。
【請求項１０】
前記初期生体情報又は前記経過生体情報に対応した生体情報管理に関連した情報を提供する情報提供手段を備えることを特徴とする請求項１乃至請求項９のうち、いずれか１に記載の生体情報管理システム。
【請求項１１】
電気通信ネットワークへの接続を可能とする接続手段と、前記接続手段を用いて接続したウエブサイトの履歴情報を記憶する履歴情報記憶手段と、前記初期生体情報又は前記経過生体情報に対応した生体情報管理に関連した情報、及び／又は該生体情報管理に関連した情報が掲載されたウエブサイトへのリンク情報を提供する情報提供手段と、を備え、前記情報提供手段は、前記履歴情報記憶手段に記憶された前記履歴情報に基づいて、前記初期生体情報に関連した情報、及び／又は前記リンク情報を提供することを特徴とする請求項１乃至請求項９のうち、いずれか１に記載の生体情報管理システム。
【手続補正２】
【補正対象書類名】明細書
【補正対象項目名】０００２
【補正方法】変更
【補正の内容】
【０００２】
対象生体たる使用者の体調を管理するために、体重計や生体情報管理装置を用いて、体重や、体脂肪その他の生体データが取得される。これらのデータは、その推移を管理することにより、健康回復やダイエットに利用することができる。このデータの推移は、ペースラインとして表されるものであって、生体データ及び体重の中から、使用者の体調管理に適した情報を選定して、この情報が目標値へ近づくように、時間をかけて徐々に減少又は増大する曲線である。使用者は、このペースラインに沿うように、食事や運動をコントロールすることで、目的を達成することができる。
【手続補正３】
【補正対象書類名】明細書
【補正対象項目名】０００６
【補正方法】変更
【補正の内容】
【０００６】
上記課題を解決するために、本発明の生体情報管理システムにおいては、対象生体の初期生体情報を取得する初期生体情報取得手段と、前記初期生体情報取得手段によって入力された、パラメータとしての前記初期生体情報から算出した所定の幅を有し、前記初期生体情報を目標値に近づける初期ペースラインを生成する初期ペースライン生成手段と、前記ペースライン生成後の前記対象生体の経過生体情報を取得する経過生体情報取得手段と、前記経過生体情報取得手段によって取得された、パラメータとしての前記経過生体情報から算出した所定の幅を有し、前記経過生体情報を前記目標値に近づける修正ペースラインを生成する修正ペースライン生成手段と、前記初期ペースライン又は前記修正ペースラインを、前記所定の幅をもって出力する出力手段と、を備え、前記修正ペースライン生成手段は、前記経過生体情報取得手段により取得された前記経過生体情報が、前記初期ペースラインの前記所定の幅内に収まっているか否かを判定し、前記所定の幅内に収まっていない場合には、前記対象生体の経過生体情報が前記所定の幅内に収まる前記修正ペースラインを生成し、前記出力手段は、前記初期ペースラインに代えて、前記修正ペースラインを出力することを特徴とする。
【手続補正４】
【補正対象書類名】明細書
【補正対象項目名】０００７
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００２２
【補正方法】変更
【補正の内容】
【００２２】
図１に示すように、生体測定装置１は、表示部２１、操作部２２、フットスイッチ２３、ロードセル６０（体重測定部）、及び電極部材３０を有する。
【手続補正７】
【補正対象書類名】明細書
【補正対象項目名】００３３
【補正方法】変更
【補正の内容】
【００３３】
外部機器７０は、生体測定装置１の操作部２２及びフットスイッチ２３を用いた入力操作によって取得する入力情報や、生体測定装置１による測定で得られた測定情報を、生体測定装置１から伝達可能な構成とされており、例えば、インターフェース（図に示さず）を介してＬＡＮケーブルによって常時接続、或いは必要に応じて接続されてもよいし、ＵＳＢ（Ｕｎｉｖｅｒｓａｌ  Ｓｅｒｉａｌ  Ｂｕｓ）接続型の記憶媒体によって伝達可能な構成とされていてもよい。
【手続補正８】
【補正対象書類名】明細書
【補正対象項目名】００４４
【補正方法】変更
【補正の内容】
【００４４】
まず、初期ペースラインの生成は初期生体情報に基づいて、次の式１によって生成する。
Ｗ＝Ｗｉ＋Ｃ１・Ｔ  ・・・（式１）
ここで、Ｗ（単位：ｋｇ）は管理期間中の体重（ペース体重）、Ｗｉ（単位：ｋｇ）は目標体重（理想体重）、Ｃ１は体重管理係数、Ｔは経過時間（単位：月）である。図３の例では、初期体重Ｗｆは９０ｋｇ、目標体重Ｗｉは６５ｋｇであり、管理開始から目標体重Ｗｉに到達するまでの期間である３０ヶ月が管理期間（減量期間）Ｔｍ（単位：月）となる。